【手続補正書】
【提出日】平成18年11月16日(2006.11.16)
【手続補正１】
【補正対象書類名】明細書
【補正対象項目名】特許請求の範囲
【補正方法】変更
【補正の内容】
【特許請求の範囲】
【請求項１】  単離された宿主細胞または組換え宿主細胞であって、配列番号２のヌクレオチド１９９８〜５６６４２に対応するエポチロンポリケチドシンターゼ遺伝子においてコードされるタンパク質、または１もしくは数個のアミノ酸置換、欠失もしくは挿入を有する、該タンパク質の誘導体の発現をコードする核酸を含むが、該細胞は、配列番号２のヌクレオチド５６７５７〜５８０１６に対応するｅｐｏＫ遺伝子においてコードされるタンパク質エポキシダーゼ活性を有する遺伝子産物を発現せず、そして該宿主細胞は、エポチロンＡよりも多くのエポチロンＣを生成するか、そして／またはエポチロンＢよりも多くのエポチロンＤを生成する、宿主細胞。
【請求項２】  請求項１に記載の細胞であって、
Ｓｏｒａｎｇｉｕｍ細胞であるか、または
Ｍｙｘｏｃｏｃｃｕｓ細胞であるか、または
Ｐｓｅｕｄｏｍｏｎａｓ細胞であるか、または
Ｓｔｒｅｐｔｏｍｙｃｅｓ細胞である、
細胞。
【請求項３】  エポチロンＣまたはエポチロンＤを生成するための方法であって、該方法は、請求項１に記載の細胞を、前記核酸が機能的ＰＫＳを生じるように発現される条件下で培養する工程を包含する、方法。
【請求項４】  請求項２に記載の組換えＳｏｒａｎｇｉｕｍ  ｃｅｌｌｕｌｏｓｕｍ宿主細胞であって、改変したｅｐｏＫ遺伝子を含み、そしてエポチロンＡよりも多くのエポチロンＣを生成するか、またはエポチロンＢよりも多くのエポチロンＤを生成する、細胞。
【請求項５】  請求項４に記載の組換え宿主細胞であって、
エクステンダーモジュール４  アシルトランスフェラーゼ（「ＡＴ」）ドメイン特異性を改変する、ｅｐｏＤ中の変異に起因して、エポチロンＣを生成するが、エポチロンＡも、Ｂも、Ｄも生成しないか、あるいは
エクステンダーモジュール４  ＡＴドメイン特異性を改変する、ｅｐｏＤ中の変異に起因して、エポチロンＤを生成するが、エポチロンＡも、Ｂも、Ｃも生成しない、
組換え宿主細胞。
【請求項６】  請求項２に記載の組換えＳｔｒｅｐｔｏｍｙｃｅｓ宿主細胞または組換えＭｙｘｏｃｏｃｃｕｓ宿主細胞であって、Ｓｏｒａｎｇｉｕｍ  ｃｅｌｌｕｌｏｓｕｍのエポチロンポリケチドシンターゼ（「ＰＫＳ」）遺伝子を発現し、そして機能的に活性なＳｏｒａｎｇｉｕｍ  ｃｅｌｌｕｌｏｓｕｍ  ｅｐｏＫ遺伝子産物を発現せず、必要に応じて、１つ以上の該エポチロンＰＫＳ遺伝子を、該細胞の染色体ＤＮＡ中に組み込んで含むかまたは染色体外発現ベクター中にて含み、該組換え細胞は、エポチロンＡよりも多くのエポチロンＣを生成するか、またはエポチロンＢよりも多くのエポチロンＤを生成する、組換え宿主細胞。
【請求項７】  エポチロンＣまたはエポチロンＤを生成するための方法であって、請求項５または請求項６に記載の細胞を培養する工程を包含する、方法。
【請求項８】  前記細胞が、Ｓｏｒａｎｇｉｕｍ  ｃｅｌｌｕｌｏｓｕｍ  ｅｐｏＫ遺伝子を含まない、請求項１に記載の細胞。
【請求項９】  請求項１に記載の細胞であって、該細胞は、改変されたＳｏｒａｎｇｉｕｍ  ｃｅｌｌｕｌｏｓｕｍ  ｅｐｏＫ遺伝子を含み、そして該改変されたｅｐｏＫ遺伝子が、エポチロンＣをエポチロンＡに変換することもエポチロンＤをエポチロンＢに変換することもしない、遺伝子産物を生成する、細胞。
【請求項１０】  エポチロンＣおよびエポチロンＤの両方を生成する、請求項１に記載の細胞。
【請求項１１】  エポチロンＡもエポチロンＢも生成しない、請求項１に記載の細胞。
【請求項１２】  前記核酸が、ｅｐｏＡ遺伝子、ｅｐｏＢ遺伝子、ｅｐｏＣ遺伝子、ｅｐｏＤ遺伝子、ｅｐｏＥ遺伝子およびｅｐｏＦ遺伝子を含む、請求項１に記載の細胞。
【請求項１３】  前記核酸が、改変されたｅｐｏＤエクステンダーモジュール４  アシルトランスフェラーゼ（「ＡＴ」）ドメインコード配列を含む、請求項１に記載の細胞。
【請求項１４】  請求項１３に記載の細胞であって、前記改変されたＡＴドメインコード配列が、改変されていないＡＴドメインコード配列を含む細胞と比較して、増加したエポチロンＣ生成および減少したエポチロンＤ生成を生じる、細胞。
【請求項１５】  請求項１３に記載の細胞であって、前記改変されたＡＴドメインコード配列が、改変されていないＡＴドメインコード配列を含む細胞と比較して、増加したエポチロンＤ生成および減少したエポチロンＣ生成を生じる、細胞。
【請求項１６】  Ｓｔｒｅｐｔｏｍｙｃｅｓ細胞である、請求項２に記載の細胞。
【請求項１７】  Ｓｔｒｅｐｔｏｍｙｃｅｓ細胞である、請求項８に記載の細胞。
【請求項１８】  Ｓｔｒｅｐｔｏｍｙｃｅｓ細胞である、請求項１０に記載の細胞。
【請求項１９】  Ｓｔｒｅｐｔｏｍｙｃｅｓ細胞である、請求項１１に記載の細胞。
【請求項２０】  Ｍｙｘｏｃｏｃｃｕｓ細胞である、請求項２に記載の細胞。
【請求項２１】  Ｍｙｘｏｃｏｃｃｕｓ細胞である、請求項８に記載の細胞。
【請求項２２】  Ｍｙｘｏｃｏｃｃｕｓ細胞である、請求項１０に記載の細胞。
【請求項２３】  Ｍｙｘｏｃｏｃｃｕｓ細胞である、請求項１１に記載の細胞。
【請求項２４】  前記変異したｅｐｏＫ遺伝子が、野生型ｅｐｏＫ遺伝子と比較して、挿入または欠失を含む、請求項４に記載の細胞。
【請求項２５】  前記改変したｅｐｏＫ遺伝子が、ランダムな変異誘発により生成される、請求項４に記載の細胞。
【請求項２６】  前記改変したｅｐｏＫ遺伝子が、相同組換えにより生成される、請求項９に記載の細胞。
【請求項２７】  エポチロンＡもエポチロンＢも生成しない、請求項４に記載の細胞。
【請求項２８】  Ｓｏｒａｎｇｉｕｍ  ｃｅｌｌｕｌｏｓｕｍ  ｅｐｏＫ遺伝子を含まない、請求項６に記載の細胞。
【請求項２９】  請求項６に記載の細胞であって、該細胞は、改変されたＳｏｒａｎｇｉｕｍ  ｃｅｌｌｕｌｏｓｕｍ  ｅｐｏＫ遺伝子を含み、そして該改変されたｅｐｏＫ遺伝子が、エポチロンＣをエポチロンＡに変換することも、エポチロンＤをエポチロンＢに変換することもしない、遺伝子産物を生成する、細胞。
【請求項３０】  エポチロンＡもエポチロンＢも生成しない、請求項６に記載の細胞。
【請求項３１】  ｅｐｏＡ  ＰＫＳ遺伝子、ｅｐｏＢ  ＰＫＳ遺伝子、ｅｐｏＣ  ＰＫＳ遺伝子、ｅｐｏＤ  ＰＫＳ遺伝子、ｅｐｏＥ  ＰＫＳ遺伝子およびｅｐｏＦ  ＰＫＳ遺伝子を含む、請求項６に記載の細胞。
【請求項３２】  前記ｅｐｏＤ遺伝子が、改変されたエクステンダーモジュール４  アシルトランスフェラーゼ（「ＡＴ」）ドメインコード配列を含む、請求項３１に記載の細胞。
【請求項３３】  請求項３２に記載の細胞であって、前記改変されたＡＴドメインコード配列が、改変されていないＡＴドメインコード配列を含む細胞と比較して、増加したエポチロンＣ生成および減少したエポチロンＤ生成を生じる、細胞。
【請求項３４】  請求項３２に記載の細胞であって、前記改変されたＡＴドメインコード配列が、改変されていないＡＴドメインコード配列を含む細胞と比較して、増加したエポチロンＤ生成および減少したエポチロンＣ生成を生じる、細胞。
【請求項３５】  エポチロンＣおよびエポチロンＤの両方が生成される、請求項３に記載の方法。
【請求項３６】  エポチロンＤが生成される、請求項３に記載の方法。
【請求項３７】  エポチロンＣおよびエポチロンＤが生成される、請求項７に記載の方法。
【請求項３８】  エポチロンＤが生成される、請求項７に記載の方法。